(57)【要約】【構成】リングＲＧ１は、角度が増大する方向に並ぶ角度範囲ＡＲ１およびＡＲ２を跨いで回転する。リングＲＧ１の回転角度が角度範囲ＡＲ１に属する角度θｏｎまで増大すると、サブＣＰＵによって主電源が起動される。リングＲＧ１の回転角度が角度範囲ＡＲ２において変更されると、これに伴ってズームレンズ１２の位置が変更される。メインＣＰＵは、こうして変更されたズームレンズ１２の位置を参照してフォーカスレンズ１６の配置を調整する。メインＣＰＵはまた、主電源が起動された状態でリングＲＧ１の回転角度が角度範囲ＡＲ１に留まる期間が閾値ＴＨｏｎまたはＴＨｏｆｆを上回ったとき、起動操作案内画面または終了操作案内画面をＬＣＤモニタに表示する。【効果】操作性を高めることができ、かつ消費電力を抑制できる。【選択図】図３
2013025195.tif 000002
【特許請求の範囲】
【請求項１】
角度が増大する方向に並ぶ第１角度範囲および第２角度範囲を跨いで回転する回転部材、
前記回転部材の回転角度が前記第１角度範囲に属する第１特定角度まで増大したときに電源を起動する起動手段、
前記第２角度範囲における前記回転部材の回転を参照して光学系の設定を調整する調整手段、および
前記電源が起動された状態で前記回転部材の回転角度が前記第１角度範囲に留まるとき報知を発生する報知手段を備える、光学装置。
【請求項２】
前記報知手段は、前記回転部材の回転角度が前記第２角度範囲に達することなく前記第１角度範囲に留まる期間を前記起動手段の処理に応答して測定する第１測定手段、および前記第１測定手段によって測定された期間を参照して第１報知を発生する第１報知発生手段を含む、請求項１記載の光学装置。
【請求項３】
前記回転部材の回転角度が前記第１角度範囲に属する第２特定角度まで減少したときに前記電源を停止する停止手段をさらに備える、請求項１または２記載の光学装置。
【請求項４】
前記報知手段は、前記回転部材の回転角度の前記第２角度範囲から前記第１角度範囲への移行を検知する検知手段、前記回転部材の回転角度が前記第２特定角度に達することなく前記第１角度範囲に留まる期間を前記検知手段の検知に応答して測定する第２測定手段、および前記第２測定手段によって測定された期間を参照して第２報知を発生する第２報知発生手段を含む、請求項３記載の光学装置。
【請求項５】
前記第２特定角度は前記第１特定角度よりも小さい角度に相当する、請求項３または４記載の光学装置。
【請求項６】
前記光学系の出力に基づく電子データを処理する処理手段、および
前記処理手段の設定を前記起動手段の処理に関連して初期化する初期化手段をさらに備える、請求項１ないし５のいずれかに記載の光学装置。
【請求項７】
撮像面で捉えられたシーンを表す電子画像を出力する撮像手段をさらに備え、
前記光学系は前記撮像面の前方に配置されたズームレンズを含み、
前記調整手段は前記回転部材の回転に応じて前記ズームレンズの位置を調整するズーム調整機構を含む、請求項１ないし６のいずれかに記載の光学装置。
【請求項８】
角度が増大する方向に並ぶ第１角度範囲および第２角度範囲を跨いで回転する回転部材、および前記第２角度範囲における前記回転部材の回転を参照して光学系の設定を調整する調整手段を備える光学装置のプロセッサに、
前記回転部材の回転角度が前記第１角度範囲に属する第１特定角度まで増大したときに電源を起動する起動ステップ、および
前記電源が起動された状態で前記回転部材の回転角度が前記第１角度範囲に留まるとき報知を発生する報知ステップを実行させるための、動作制御プログラム。
【請求項９】
角度が増大する方向に並ぶ第１角度範囲および第２角度範囲を跨いで回転する回転部材、および前記第２角度範囲における前記回転部材の回転を参照して光学系の設定を調整する調整手段を備える光学装置によって実行される動作制御方法であって、
前記回転部材の回転角度が前記第１角度範囲に属する第１特定角度まで増大したときに電源を起動する起動ステップ、および
前記電源が起動された状態で前記回転部材の回転角度が前記第１角度範囲に留まるとき報知を発生する報知ステップを備える、動作制御方法。
【発明の詳細な説明】
【技術分野】
【０００１】
この発明は、光学装置に関し、特にディジタルカメラに適用され、回転部材の回転を参照して光学系の設定を調整する、光学装置に関する。
【背景技術】
【０００２】
この種の装置の一例が、特許文献１に開示されている。この背景技術によれば、ズームを指示するズームスイッチが押されると、メインマイコンはワイド方向へのズームをカメラＡＦマイコンに指示する。カメラＡＦマイコンは、ビデオレンズユニットに設けられたズームレンズをワイド方向に駆動する。ズーム位置はズーム位置検出ブロックによって検出され、検出結果はカメラＡＦマイコンを介してメインマイコンに伝えられる。ズーム位置がワイド端に達すると、メインマイコンは、表示信号発生ブロックを駆動して“ワイド端”を示す文字を電子式ビューファインダに表示する。
【先行技術文献】
【特許文献】
【０００３】
【特許文献１】特開平８−３３１４３３号公報
【発明の概要】
【発明が解決しようとする課題】
【０００４】
しかし、背景技術では、ズームスイッチは電源スイッチから独立しているため、操作性に限界がある。
【０００５】
それゆえに、この発明の主たる目的は、操作性を高めることができ、かつ消費電力を抑制することができる、光学装置を提供することである。
【課題を解決するための手段】
【０００６】
この発明に従う光学装置(10：実施例で相当する参照符号。以下同じ)は、角度が増大する方向に並ぶ第１角度範囲(AR1)および第２角度範囲(AR2)を跨いで回転する回転部材(RG1)、回転部材の回転角度が第１角度範囲に属する第１特定角度(θon)まで増大したときに電源を起動する起動手段(S1~S3)、第２角度範囲における回転部材の回転を参照して光学系(12, 16)の設定を調整する調整手段(20, S41, S45)、および電源が起動された状態で回転部材の回転角度が第１角度範囲に留まるとき報知を発生する報知手段(S11, S17~S27, S43, S47, S53~S65)を備える。
【０００７】
好ましくは、報知手段は、回転部材の回転角度が第２角度範囲に達することなく第１角度範囲に留まる期間を起動手段の処理に応答して測定する第１測定手段(S11, S17~S21)、および第１測定手段によって測定された期間を参照して第１報知を発生する第１報知発生手段(S25)を含む。
【０００８】
好ましくは、回転部材の回転角度が第１角度範囲に属する第２特定角度(θoff)まで減少したときに電源を停止する停止手段(S7~S9, S33~S35, S57, S73)がさらに備えられる。
【０００９】
或る局面では、報知手段は、回転部材の回転角度の第２角度範囲から第１角度範囲への移行を検知する検知手段(S43)、回転部材の回転角度が第２特定角度に達することなく第１角度範囲に留まる期間を検知手段の検知に応答して測定する第２測定手段(S55~S59)、および第２測定手段によって測定された期間を参照して第２報知を発生する第２報知発生手段(S63)を含む。
【００１０】
他の局面では、第２特定角度は第１特定角度よりも小さい角度に相当する。
【００１１】
好ましくは、光学系の出力に基づく電子データを処理する処理手段(24)、および処理手段の設定を起動手段の処理に関連して初期化する初期化手段(S5)がさらに備えられる。
【００１２】
好ましくは、撮像面で捉えられたシーンを表す電子画像を出力する撮像手段(18)がさらに備えられ、光学系は撮像面の前方に配置されたズームレンズ(12)を含み、調整手段は回転部材の回転に応じてズームレンズの位置を調整するズーム調整機構(20)を含む。
【００１３】
この発明に従う動作制御プログラムは、角度が増大する方向に並ぶ第１角度範囲(AR1)および第２角度範囲(AR2)を跨いで回転する回転部材(RG1)、および第２角度範囲における回転部材の回転を参照して光学系(12, 16)の設定を調整する調整手段(20)を備える光学装置(10)のプロセッサ(36, 38)に、回転部材の回転角度が第１角度範囲に属する第１特定角度(θon)まで増大したときに電源を起動する起動ステップ(S1~S3)、および電源が起動された状態で回転部材の回転角度が第１角度範囲に留まるとき報知を発生する報知ステップ(S11, S17~S27, S43, S47, S53~S65)を実行させるための、動作制御プログラムである。
【００１４】
この発明に従う動作制御方法は、角度が増大する方向に並ぶ第１角度範囲(AR1)および第２角度範囲(AR2)を跨いで回転する回転部材(RG1)、および第２角度範囲における回転部材の回転を参照して光学系(12, 16)の設定を調整する調整手段(20)を備える光学装置(10)によって実行される動作制御方法であって、回転部材の回転角度が第１角度範囲に属する第１特定角度(θon)まで増大したときに電源を起動する起動ステップ(S1~S3)、および電源が起動された状態で回転部材の回転角度が第１角度範囲に留まるとき報知を発生する報知ステップ(S11, S17~S27, S43, S47, S53~S65)を備える。
【発明の効果】
【００１５】
この発明によれば、電源は回転部材の回転角度が第１角度範囲に属する第１特定角度まで増大したときに起動され、光学系の設定は第１角度範囲に並ぶ第２角度範囲における回転部材の回転を参照して調整される。これによって、電源および光学系の設定を単一の部材によって制御することができ、操作性が向上する。また、電源が起動されたにも関わらず、回転部材の回転角度が第１角度範囲に留まると、報知が発生される。操作者は現在の状態が起動状態であることを報知によって認識でき、これによって消費電力の抑制が図られる。
【００１６】
この発明の上述の目的，その他の目的，特徴および利点は、図面を参照して行う以下の実施例の詳細な説明から一層明らかとなろう。
【図面の簡単な説明】
【００１７】
【図１】この発明の一実施例の基本的構成を示すブロック図である。
【図２】この発明の一実施例の構成を示すブロック図である。
【図３】図２実施例に適用されるリングの回転動作の一部を示す図解図である。
【図４】図２実施例の適用されるリングの回転動作の他の一部を示す図解図である。
【図５】図２実施例に適用される電源＆ズーム制御機構の構成の一例を示す図解図である。
【図６】（Ａ）は開始画面の一例を示す図解図であり、（Ｂ）は終了画面の一例を示す図解図である。
【図７】（Ａ）は起動操作案内画面の一例を示す図解図であり、（Ｂ）は終了操作案内画面の一例を示す図解図である。
【図８】トラッキングカーブの一例を示すグラフである。
【図９】図２実施例に適用されるサブＣＰＵの動作の一部を示すフロー図である。
【図１０】図２実施例に適用されるメインＣＰＵの動作の一部を示すフロー図である。
【図１１】図２実施例に適用されるメインＣＰＵの動作の他の一部を示すフロー図である。
【図１２】図２実施例に適用されるメインＣＰＵの動作のその他の一部を示すフロー図である。
【図１３】図２実施例に適用されるメインＣＰＵの動作のさらにその他の一部を示すフロー図である。
【発明を実施するための形態】
【００１８】
以下、この発明の実施の形態を図面を参照しながら説明する。
［基本的構成］
【００１９】
図１を参照して、この実施例の光学装置は、基本的に次のように構成される。回転部材１は、角度が増大する方向に並ぶ第１角度範囲および第２角度範囲を跨いで回転する。起動手段２は、回転部材１の回転角度が第１角度範囲に属する第１特定角度まで増大したときに電源５を起動する。調整手段３は、第２角度範囲における回転部材１の回転を参照して光学系６の設定を調整する。報知手段４は、電源５が起動された状態で回転部材１の回転角度が第１角度範囲に留まるとき報知を発生する。
【００２０】
電源５は回転部材１の回転角度が第１角度範囲に属する第１特定角度まで増大したときに起動され、光学系６の設定は第１角度範囲に並ぶ第２角度範囲における回転部材１の回転を参照して調整される。これによって、電源５および光学系６の設定を単一の部材によって制御することができ、操作性が向上する。また、電源５が起動されたにも関わらず、回転部材１の回転角度が第１角度範囲に留まると、報知が発生される。操作者は現在の状態が起動状態であることを報知によって認識でき、これによって消費電力の抑制が図られる。
［実施例］
【００２１】
図２を参照して、この実施例のディジタルカメラ１０は、電源回路４２を含む。電源回路４２は、互いに異なる複数の電圧値をそれぞれ示す複数の直流電源を生成する。生成された複数の直流電源の一部はサブＣＰＵ３８に直接的に与えられ、生成された複数の直流電源の他の一部はスイッチ群４４を介してサブＣＰＵ３８以外の回路に与えられる。したがって、サブＣＰＵ３８は常時起動されるのに対して、サブＣＰＵ３８以外の回路はスイッチ群４４のオン／オフに対応して起動／停止される。
【００２２】
なお、サブＣＰＵ３８以外の回路が起動した状態を“主電源オン状態”と定義し、サブＣＰＵ３８以外の回路が停止した状態を“主電源オフ状態”と定義する。
【００２３】
ディジタルカメラ１０はまた、電源＆ズーム制御機構２０によって駆動されるズームレンズ１２と、ドライバ２２ａおよび２２ｂによってそれぞれ駆動される絞りユニット１４およびフォーカスレンズ１６とを含む。これらの部材を経た光学像は、イメージャ１８の撮像面に照射され、光電変換を施される。
【００２４】
図３〜図５を参照して、電源＆ズーム制御機構２０は、ズームレンズ１２を囲むようにカメラ筐体ＣＢ１の前面に設けられ、撮像面に直交する方向に延びる光軸ＡＸの回り方向に回転可能なリングＲＧ１を有する。リングＲＧ１は、θｏｆｆ〜θｔｅｌｅの範囲で回転可能であり、この回転可能範囲は角度が増大する方向に並ぶ角度範囲ＡＲ１およびＡＲ２に区分される。
【００２５】
角度範囲ＡＲ１の下限角度および上限角度はそれぞれ“θｏｆｆ”および“θｗｉｄｅ”に相当し、角度範囲ＡＲ２の下限角度および上限角度はそれぞれ“θｗｉｄｅ”および“θｔｅｌｅ”に相当する。また、角度範囲ＡＲ１の中央付近に“θｏｎ”が割り当てられる。
【００２６】
角度範囲ＡＲ１において、リングＲＧ１の回転角度が“θｏｆｆ”から“θｏｎ”まで増大すると、サブＣＰＵ３８は、主電源オン状態に移行するべくスイッチ群４４をオンし、さらにＡＳＩＣ５２の設定を初期化する。
【００２７】
起動したメインＣＰＵ３６はまず、図６（Ａ）に示す開始画面を既定時間（＝１０秒）だけＬＣＤモニタ３２に表示するべく、電源制御タスクの下でキャラクタジェネレータ３４に命令を与える。キャラクタジェネレータ３４は命令に従うキャラクタデータを出力し、ＬＣＤドライバ３０は出力されたキャラクタデータに基づいてＬＣＤモニタ３２を駆動する。この結果、開始画面が既定時間だけＬＣＤモニタ３２に表示される。
【００２８】
リングＲＧ１の回転角度が“θｏｎ”〜“θｗｉｄｅ”の範囲に留まる期間が閾値ＴＨｏｎ（＝１０秒）に達すると、メインＣＰＵ３６は、図７（Ａ）に示す起動操作案内画面（リングＲＧ１を“θｗｉｄｅ”まで回転させる操作を促す報知画面）の表示をキャラクタジェネレータ３４に命令する。キャラクタジェネレータ３４は命令に従うキャラクタデータを出力し、ＬＣＤドライバ３０は出力されたキャラクタデータに基づいてＬＣＤモニタ３２を駆動する。この結果、起動操作案内画面がＬＣＤモニタ３２に表示される。
【００２９】
リングＲＧ１の回転角度が“θｗｉｄｅ”に達することなく“θｏｆｆ”にまで減少すると、メインＣＰＵ３６は、電源オフ命令をサブＣＰＵ３８に向けて発行する。サブＣＰＵ３８は、主電源オフ状態に移行するべくスイッチ群４４をオフする。
【００３０】
リングＲＧ１の回転角度が“θｗｉｄｅ”に達すると、メインＣＰＵ３６は、電源制御タスクの下でドライバ２２ｂを制御し、フォーカスレンズ１６を初期位置に配置する。配置が完了すると、電源制御タスクによって撮像タスクが起動される。
【００３１】
なお、起動操作案内画面がＬＣＤモニタ３２に表示されていれば、メインＣＰＵ３６は、フォーカスレンズ１６の配置を初期化する前に、起動操作案内画面の非表示をキャラクタジェネレータ３４に命令する。キャラクタジェネレータ３４はキャラクタデータの出力を停止し、これによって起動操作案内画面が消滅する。
【００３２】
電源制御タスクによって起動された撮像タスクの下で、メインＣＰＵ３６は、動画取り込み処理を実行するべく、ドライバ２２ｃに露光動作および電荷読み出し動作の繰り返しを命令する。ドライバ２２ｃは、周期的に発生する垂直同期信号Ｖｓｙｎｃに応答して、イメージャ１８の撮像面を露光し、かつ撮像面で生成された電荷をラスタ走査態様で読み出す。イメージャ１８からは、読み出された電荷に基づく生画像データが周期的に出力される。
【００３３】
信号処理回路２４は、イメージャ１８から出力された生画像データに白バランス調整，色分離，ＹＵＶ変換などの処理を施す。これによって生成されたＹＵＶ形式の画像データは、メモリ制御回路２６を通してＳＤＲＡＭ２８のＹＵＶ画像エリア２８ａに書き込まれる。ＬＣＤドライバ３０は、ＹＵＶ画像エリア２８ａに格納された画像データをメモリ制御回路２６を通して繰り返し読み出し、読み出された画像データに基づいてＬＣＤモニタ３２を駆動する。この結果、撮像面で捉えられたシーンを表すリアルタイム動画像（スルー画像）がモニタ画面に表示される。
【００３４】
信号処理回路２４はまた、画像データを形成するＹデータをメインＣＰＵ３６に与える。メインＣＰＵ３６は、与えられたＹデータにＡＥ処理を施して適正ＥＶ値を算出し、算出された適正ＥＶ値を定義する絞り量および露光時間をドライバ２２ａおよび２２ｃにそれぞれ設定する。これによって、スルー画像の明るさが適度に調整される。
【００３５】
メインＣＰＵ３６はまた、既定のＡＦ起動条件が満足されたとき、信号処理回路２４から与えられたＹデータの高周波成分に基づいて簡易ＡＦ処理を実行する。これによってフォーカスレンズ１６が合焦点に配置され、スルー画像の鮮鋭度が向上する。
【００３６】
再び図５を参照して、電源＆ズーム制御機構２０は、角度範囲ＡＲ２におけるリングＲＧ１の回転運動を光軸ＡＸに沿う直線運動に変換する変換機構ＣＶ１をさらに含む。摺動機構ＳＬ１は、変換機構ＣＶ１によって変換された直線運動を利用してズームレンズ１２を光軸ＡＸに沿う方向に摺動させる。ズームレンズ１２は、回転角度が“θｗｉｄｅ”を示すときにワイド端に配置され、角度範囲ＡＲ２における回転角度の増大に伴ってテレ側に移動し、そして回転角度が“θｔｅｌｅ”を示すときにテレ端に配置される。スルー画像のズーム倍率は、このようなズームレンズ１２の移動に伴って変化する。
【００３７】
フラッシュメモリ５０には、図８に示すトラッキングカーブＣ０〜Ｃ１３に相当するグラフデータが記憶される。図８を参照して、被写界深度が“無限”である場合、合焦位置はズームレンズ１２の位置に対してトラッキングカーブＣ０に沿うように変化する。また、被写界深度が“２０ｍ”である場合、合焦位置はズームレンズ１２の位置に対してトラッキングカーブＣ１に沿うように変化する。さらに、被写界深度が“１０ｍ”である場合、合焦位置はズームレンズ１２の位置に対してトラッキングカーブＣ２に沿うように変化する。
【００３８】
同様に、被写界深度が“５ｍ”，“３ｍ”，“１ｍ”，“０．９ｍ”，“０．８ｍ”，“０．７ｍ”，“０．６ｍ”，“０．５ｍ”，“０．４ｍ”，“０．３ｍ”，“至近”である場合、合焦位置はズームレンズ１２の位置に対してトラッキングカーブＣ３，Ｃ４，Ｃ５，Ｃ６，Ｃ７，Ｃ８，Ｃ９，Ｃ１０，Ｃ１１，Ｃ１２，Ｃ１３に沿うように変化する。
【００３９】
撮像タスクが起動された当初は、トラッキングカーブＣ０が参照トラッキングカーブとして設定される。ただし、簡易ＡＦ処理が完了する毎にズームレンズ１２およびフォーカスレンズ１６の現在位置に相当する座標が図８に示すグラフから検出される。参照トラッキングカーブは、検出された座標上に存在するトラッキングカーブ或いは検出された座標を挟む２つのトラッキングカーブに基づいて作成されたトラッキングカーブに更新される。
【００４０】
リングＲＧ１の回転によってズームレンズ１２の位置が変更されると、メインＣＰＵ３６は、変更後のズームレンズ１２の位置を参照したフォーカストラッキング処理を電源制御タスクの下で実行する。フォーカスレンズ１６は、撮像タスクの下で設定された参照トラッキングカーブに沿って光軸方向に移動する。
【００４１】
キー入力装置４０に設けられたシャッタボタン４０ｓｈが半押しされると、ＣＰＵ３６は、信号処理回路２４から与えられたＹデータに基づく厳格ＡＥ処理を撮像タスクの下で実行し、最適ＥＶ値を算出する。算出された最適ＥＶ値を定義する絞り量および露光時間は、上述と同様、ドライバ２２ａおよび２２ｃにそれぞれ設定される。この結果、スルー画像の明るさが厳格に調整される。
【００４２】
メインＣＰＵ３６はまた、信号処理回路２４から与えられたＹデータの高周波成分に基づく厳格ＡＦ処理を撮像タスクの下で実行する。これによってフォーカスレンズ１６が合焦点に配置され、スルー画像の鮮鋭度が向上する。シャッタボタン４２ｓｈが全押しされると、メインＣＰＵ３６は、静止画取り込み処理を実行するとともに、記録処理の実行をメモリＩ／Ｆ４６に命令する。
【００４３】
シャッタボタン４２ｓｈが全押しされた時点のシーンを表す撮影画像データは、静止画取り込み処理によってＹＵＶ画像エリア２８ａから静止画像エリア２８ｂに退避される。記録処理の実行を命令されたメモリＩ／Ｆ４６は、静止画像エリア２８ｂに退避された撮影画像データをメモリ制御回路２６を通して読み出し、読み出された撮影画像データを収めた画像ファイルを記録媒体４８に記録する。
【００４４】
リングＲＧ１の回転角度が“θｗｉｄｅ”を下回ると、メインＣＰＵ３６は、図６（Ｂ）に示す終了画面を既定時間（＝１０秒）だけ表示するべく、電源制御タスクの下でキャラクタジェネレータ３４に命令を与え、さらにドライバ２２ｂを制御してフォーカスレンズ１６を退避位置に配置する。キャラクタジェネレータ３４は命令に従うキャラクタデータを出力し、ＬＣＤドライバ３０は出力されたキャラクタデータに基づいてＬＣＤモニタ３２を駆動する。この結果、終了画面が既定時間だけＬＣＤモニタ３２に表示される。
【００４５】
リングＲＧ１の回転角度が“θｗｉｄｅ”〜“θｏｆｆ”の範囲に留まる期間が閾値ＴＨｏｆｆ（＝１０秒）に達すると、メインＣＰＵ３６は、図７（Ｂ）に示す終了操作案内画面（＝リングＲＧ１を“θｏｆｆ”まで回転させる操作を促す報知画面）の表示を電源制御タスクの下でキャラクタジェネレータ３４に命令する。キャラクタジェネレータ３４は命令に従うキャラクタデータを出力し、ＬＣＤドライバ３０は出力されたキャラクタデータに基づいてＬＣＤモニタ３２を駆動する。この結果、終了操作案内画面がＬＣＤモニタ３２に表示される。
【００４６】
リングＲＧ１の回転角度が“θｏｆｆ”に達すると、メインＣＰＵ３６は、既定の終了処理を実行し、電源オフ命令をサブＣＰＵ３８に向けて発行する。サブＣＰＵ３８は、主電源オフ状態に移行するべくスイッチ群４４をオフする。
【００４７】
なお、終了操作案内画面がＬＣＤモニタ３２に表示されていれば、メインＣＰＵ３６は、終了処理を実行する前に、終了操作案内画面の非表示をキャラクタジェネレータ３４に命令する。キャラクタジェネレータ３４はキャラクタデータの出力を停止し、これによって終了操作案内画面が消滅する。
【００４８】
サブＣＰＵ３８は、図９に示すフロー図を実行する。なお、このフロー図に対応する制御プログラムは、メモリ３８ｍに記憶される。
【００４９】
ステップＳ１では、リングＲＧ１の現在の回転角度が“θｏｎ”以上であるか否かを繰り返し判別する。判別結果がＮＯからＹＥＳに更新されると、ステップＳ３で主電源をオンし（スイッチ群４４をオンし）、ステップＳ５でＡＳＩＣ５２の設定を初期化する。ステップＳ７では、電源オフ命令がメインＣＰＵ３６から発行されたか否かを繰り返し判別する。判別結果がＮＯからＹＥＳに更新されると、ステップＳ９で主電源をオフし（スイッチ群４４をオフし）、その後にステップＳ１に戻る。
【００５０】
メインＣＰＵ３６は、図１０〜図１３に示す電源制御タスクと図１５に示す撮像タスクとを含む複数のタスクを並列的に実行する。なお、これらのタスクに対応する制御プログラムは、フラッシュメモリ５０に記憶される。
【００５１】
図１０を参照して、ステップＳ１１では現在時刻を変数ＴＩＭ１に設定し、ステップＳ１３では開始画面を既定時間（＝１０秒）だけ表示するようキャラクタジェネレータ３４に命令を与える。キャラクタジェネレータ３４は命令に従うキャラクタデータを出力し、ＬＣＤドライバ３０は出力されたキャラクタデータに基づいてＬＣＤモニタ３２を駆動する。この結果、開始画面が既定時間だけＬＣＤモニタ３２に表示される。
【００５２】
ステップＳ１５では、フラグＦＬＧｎｔｃ１を“０”に設定する。ここで、フラグＦＬＧｎｔｃ１は、起動操作案内画面の表示／非表示を識別するためのフラグであり、“０”が非表示を示す一方、“１”が表示を示す。ステップＳ１７では、現在時刻を変数ＴＩＭ２に設定する。ステップＳ１９では、リングＲＧ１の現在の回転角度が“θｗｉｄｅ”以上であるか或いはリングＲＧ１の現在の回転角度が“θｏｆｆ”に相当するという論理和条件が満足されるか否かを判別する。判別結果がＮＯであればステップＳ２１に進み、判別結果がＹＥＳであればステップＳ２９に進む。
【００５３】
ステップＳ２１では変数ＴＩＭ２から変数ＴＩＭ１を減算して得られる数値が閾値ＴＨｏｎを上回るか否かを判別し、ステップＳ２３ではフラグＦＬＧｎｔｃ１が“０”を示すか否かを判別する。ステップＳ２１の判別結果およびステップＳ２３の判別結果の少なくとも一方がＮＯであればそのままステップＳ１７に戻り、ステップＳ２１の判別結果およびステップＳ２３の判別結果のいずれもがＹＥＳであればステップＳ２５〜Ｓ２７の処理を経てステップＳ１７に戻る。
【００５４】
ステップＳ２５では起動操作案内画面の表示をキャラクタジェネレータ３４に命令し、ステップＳ２７ではフラグＦＬＧｎｔｃ１を“１”に更新する。ステップＳ２５の処理の結果、キャラクタジェネレータ３４は命令に従うキャラクタデータを出力し、ＬＣＤドライバ３０は出力されたキャラクタデータに基づいてＬＣＤモニタ３２を駆動する。これによって、起動操作画面がＬＣＤモニタ３２に表示される。
【００５５】
ステップＳ２９ではフラグＦＬＧｎｔｃ１が“１”を示すか否かを判別し、判別結果がＮＯであればそのままステップＳ３３に進む一方、判別結果がＹＥＳであればステップＳ３１で起動案内画面の非表示をキャラクタジェネレータ３４に命令してからステップＳ３３に進む。ステップＳ３１の処理の結果、キャラクタジェネレータ３４はキャラクタデータの出力を停止し、これによって起動操作案内画面が消滅する。
【００５６】
ステップＳ３３では、リングＲＧ１の現在の回転角度が“θｏｆｆ”に相当するか否かを判別する。判別結果がＹＥＳであれば、ステップＳ３５で電源オフ命令をサブＣＰＵ３８に向けて発行し、その後に処理を終了する。判別結果がＮＯであればステップＳ３７に進み、ドライバ２２ｂを制御してフォーカスレンズ１６の配置を初期化する。初期化が完了すると、ステップＳ３９で撮像タスクを起動する。
【００５７】
ステップＳ４１では、リングＲＧ１の回転角度が変更されたか否かを繰り返し判別する。判別結果がＮＯからＹＥＳに更新されると、リングＲＧ１の現在の回転角度が“θｗｉｄｅ”を下回るか否かをステップＳ４３で判別する。判別結果がＮＯであればステップＳ４５に進み、ドライバ２２ｂを制御してフォーカストラッキングを実行する。フォーカスレンズ１６の位置は、撮像タスクの下で設定された参照トラッキングカーブに沿って調整される。フォーカストラッキングが完了すると、ステップＳ４１に戻る。
【００５８】
ステップＳ４３の判別結果がＹＥＳであれば、ステップＳ４７で現在時刻を変数ＴＩＭ１に設定し、ステップＳ４９で終了画面を既定時間（＝１０秒）だけ表示するようキャラクタジェネレータ３４に命令を与える。ステップＳ４９の処理の結果、キャラクタジェネレータ３４は命令に従うキャラクタデータを出力し、ＬＣＤドライバ３０は出力されたキャラクタデータに基づいてＬＣＤモニタ３２を駆動する。これによって、終了画面が既定時間だけＬＣＤモニタ３２に表示される。
【００５９】
ステップＳ５１では、ドライバ２２ｂを制御してフォーカスレンズ１６を退避位置に配置する。ステップＳ５３では、フラグＦＬＧｎｔｃ２を“０”に設定する。ここで、フラグＦＬＧｎｔｃ２は、終了操作案内画面の表示／非表示を識別するためのフラグであり、“０”が非表示を示す一方、“１”が表示を示す。
【００６０】
ステップＳ５５では、現在時刻を変数ＴＩＭ２に設定する。ステップＳ５７ではリングＲＧ１の現在の回転角度が“θｏｆｆ”に相当するか否かを判別し、判別結果がＹＥＳであればステップＳ６７に進む一方、判別結果がＮＯであればステップＳ５９に進む。
【００６１】
ステップＳ５９では変数ＴＩＭ２から変数ＴＩＭ１を減算して得られる数値が閾値ＴＨｏｆｆを上回るか否かを判別し、ステップＳ６１ではフラグＦＬＧｎｔｃ２が“０”を示すか否かを判別する。ステップＳ５９の判別結果およびステップＳ６１の判別結果の少なくとも一方がＮＯであればそのままステップＳ５５に戻る一方、ステップＳ５９の判別結果およびステップＳ６１の判別結果のいずれもがＹＥＳであればステップＳ６３〜Ｓ６５の処理を経てステップＳ５５に戻る。
【００６２】
ステップＳ６３では終了操作案内画面の表示をキャラクタジェネレータ３４に命令し、ステップＳ６５ではフラグＦＬＧｎｔｃ２を“１”に更新する。ステップＳ６３の処理の結果、キャラクタジェネレータ３４は命令に従うキャラクタデータを出力し、ＬＣＤドライバ３０は出力されたキャラクタデータに基づいてＬＣＤモニタ３２を駆動する。これによって、終了操作案内画面がＬＣＤモニタ３２に表示される。
【００６３】
ステップＳ６７ではフラグＦＬＧｎｔｃ２が“１”を示すか否かを判別し、判別結果がＮＯであればそのままステップＳ７１に進む一方、判別結果がＹＥＳであればステップＳ６９で終了操作案内画面の非表示をキャラクタジェネレータ３４に命令してからステップＳ７１に進む。ステップＳ６９の処理の結果、キャラクタジェネレータ３４はキャラクタデータの出力を停止し、これによって終了操作案内画面が消滅する。
【００６４】
ステップＳ７１では既定の終了処理を実行し、ステップＳ７３では電源オフ命令をサブＣＰＵ３８に向けて発行する。電源制御タスクは、ステップＳ７３の処理の後に終了される。
【００６５】
図１５を参照して、ステップＳ８１では動画取り込み処理を実行する。この結果、スルー画像がＬＣＤモニタ３２に表示される。ステップＳ８３ではシャッタボタン４０ｓｈが半押しされたか否かを判別し、判別結果がＹＥＳであればステップＳ９５に進む一方、判別結果がＮＯであればステップＳ８７に進む。
【００６６】
ステップＳ８７では簡易ＡＥ処理を実行し、この結果、スルー画像の明るさが適度に調整される。ステップＳ８９では既定のＡＦ起動条件が満足されたか否かを判別し、判別結果がＮＯであればそのままステップＳ８５に戻る一方、判別結果がＹＥＳであればステップＳ９１〜Ｓ９３の処理を経てステップＳ８５に戻る。
【００６７】
ステップＳ９１では簡易ＡＦ処理を実行し、これによってスルー画像の鮮鋭度が改善される。ステップＳ９３では、ズームレンズ１２およびフォーカスレンズ１６の現在位置に相当する座標を図８に示すグラフから検出し、参照トラッキングカーブを検出された座標上に存在するトラッキングカーブ或いは検出された座標を挟む２つのトラッキングカーブに基づいて作成されたトラッキングカーブに更新する。
【００６８】
ステップＳ８５の判別結果がＹＥＳであれば、ステップＳ９５で厳格ＡＥ処理を実行し、ステップＳ９７で厳格ＡＦ処理を実行する。この結果、スルー画像の明るさおよび鮮鋭度が厳格に調整される。厳格ＡＦ処理が完了すると、シャッタボタン４０ｓｈが全押しされたか否かをステップＳ９９で判別し、シャッタボタン４０ｓｈの操作が解除されたか否かをステップＳ１０１で判別する。
【００６９】
ステップＳ１０１の判別結果がＹＥＳであればステップＳ８５に戻り、ステップＳ９９の判別結果がＹＥＳであればステップＳ１０３で静止画取り込み処理を実行する。ステップＳ１０３の処理の結果、シャッタボタン４０ｓｈが全押しされた時点のシーンを表す画像データがＹＵＶ画像エリア２８ａから静止画像エリア２８ｂに退避される。
【００７０】
ステップＳ１０５では、記録処理の実行をメモリＩ／Ｆ４６に命令する。メモリＩ／Ｆ４６は、静止画像エリア２８ｂに退避された画像データをメモリ制御回路２６を通して読み出し、読み出された画像データを収めた画像ファイルを記録媒体４８に記録する。記録処理が完了すると、ステップＳ８５に戻る。
【００７１】
以上の説明から分かるように、リングＲＧ１は、角度が増大する方向に並ぶ角度範囲ＡＲ１およびＡＲ２を跨いで回転する。リングＲＧ１の回転角度が角度範囲ＡＲ１に属する角度θｏｎまで増大すると、サブＣＰＵ３８によって主電源が起動される(S1~S3)。リングＲＧ１の回転角度が角度範囲ＡＲ２において変更されると、変換機構ＣＶ１および摺動機構ＳＬ１によってズームレンズ１２の位置が変更される。メインＣＰＵ３６は、変更されたズームレンズ１２の位置を参照してフォーカスレンズ１６の配置を調整する(S41, S45)。メインＣＰＵ３６はまた、主電源が起動された状態でリングＲＧ１の回転角度が角度範囲ＡＲ１に留まる期間が閾値ＴＨｏｎまたはＴＨｏｆｆを上回ったとき、起動操作案内画面または終了操作案内画面をＬＣＤモニタ３０に表示する(S11, S17~S27, S43, S47, S53~S65)。
【００７２】
このように、主電源はリングＲＧ１の回転角度が角度範囲ＡＲ１に属する角度θｏｎにまで増大したときに起動され、ズームレンズ１２およびフォーカスレンズ１６の設定は角度範囲ＡＲ１に並ぶ角度範囲ＡＲ２におけるリングＲＧ１の回転を参照して調整される。これによって、主電源および光学系の設定を単一の部材によって制御することができ、操作性が向上する。また、主電源が起動されたにも関わらず、リングＲＧ１の回転角度が角度範囲ＡＲ１に留まると、ＬＣＤモニタ３０を通して報知が発生される。操作者は現在の状態が起動状態であることを報知によって認識でき、これによって消費電力の抑制が図られる。
【００７３】
なお、この実施例では、ディジタルカメラを想定しているが、この発明は顕微鏡，双眼鏡，望遠鏡などの光学装置にも適用できる。
【００７４】
また、この実施例では、リングＲＧ１の回転を促すときに起動操作案内画面および／または終了操作案内画面を報知として出力するようにしている。しかし、これらの案内画面に代えて或いはこれらの案内画面とともに、振動や音声を報知として出力するようにしてもよい。
【符号の説明】
【００７５】
１０  …ディジタルカメラ
１２  …ズームレンズ
１６  …フォーカスレンズ
２０  …電源＆ズーム制御機構
３４  …キャラクタジェネレータ
３６  …メインＣＰＵ
３８  …サブＣＰＵ
【図１】
2013025195.tif 000003
【図２】
2013025195.tif 000004
【図３】
2013025195.tif 000005
【図４】
2013025195.tif 000006
【図５】
2013025195.tif 000007
【図６】
2013025195.tif 000008
【図７】
2013025195.tif 000009
【図８】
2013025195.tif 000010
【図９】
2013025195.tif 000011
【図１０】
2013025195.tif 000012
【図１１】
2013025195.tif 000013
【図１２】
2013025195.tif 000014
【図１３】
2013025195.tif 000015